(57)【要約】【課題】  使用時の振動発生を抑制する挿入体を円筒状支持体の内周面側に有し、かつ、挿入体を円筒状支持体の内周面側に挿入し、固定した際に発生する変形や汚染のない電子写真感光体、該電子写真感光体の製造方法、該電子写真感光体を有するプロセスカートリッジおよび電子写真装置を提供する。【解決手段】  円筒状支持体の外周面側に中間層および感光層をこの順に有し、該円筒状支持体の内周面側に挿入体を有する電子写真感光体において、該円筒状支持体と該挿入体との間に該挿入体を該円筒状支持体の内周面側に固定するための挿入体固定層を有し、該挿入体固定層に用いられる材料が該中間層に用いられる材料と同一の材料である。【選択図】  なし【特許請求の範囲】
【請求項１】
円筒状支持体の外周面側に中間層および感光層をこの順に有し、該円筒状支持体の内周面側に挿入体を有する電子写真感光体において、
該円筒状支持体と該挿入体との間に該挿入体を該円筒状支持体の内周面側に固定するための挿入体固定層を有し、
該挿入体固定層に用いられる材料が該中間層に用いられる材料と同一の材料であることを特徴とする電子写真感光体。
【請求項２】
前記挿入体固定層が、少なくともアルコール可溶性ナイロンを３０質量％以上含有する組成物からなる請求項１に記載の電子写真感光体。
【請求項３】
請求項１または２に記載の電子写真感光体の製造方法であって、
前記円筒状支持体の外周面側に中間層・挿入体固定層用塗布液を塗布するとともに、前記円筒状支持体の内周面側にも該中間層・挿入体固定層用塗布液を塗布する中間層・挿入体固定層用塗布液塗布工程と、
該中間層・挿入体固定層用塗布液塗布工程により前記円筒状支持体の外周面側に塗布された該中間層・挿入体固定層用塗布液を乾燥するとともに、前記円筒状支持体の内周面側に塗布された該中間層・挿入体固定層用塗布液も乾燥することによって、前記中間層および前記挿入体固定層をともに形成する中間層・挿入体固定層形成工程と、
該中間層・挿入体固定層形成工程により形成された前記中間層の外周面側に感光層用塗布液を塗布する感光層用塗布液塗布工程と、
該感光層用塗布液塗布工程により前記中間層の外周面側に塗布された感光層用塗布液を乾燥することによって前記感光層を形成する感光層形成工程と、
該中間層・挿入体固定層形成工程により形成された前記挿入体固定層を溶解可能な溶剤を前記挿入体固定層および前記挿入体の少なくとも一方に塗布する溶剤塗布工程と、
該溶剤塗布工程により前記挿入体固定層を溶解可能な溶剤が前記挿入体固定層および前記挿入体の少なくとも一方に塗布された後、前記挿入体を前記円筒状支持体の内周面側に挿入する挿入体挿入工程と、
該挿入体挿入工程により前記円筒状支持体の内周面側に前記挿入体が挿入された後、該溶剤塗布工程により前記挿入体固定層および前記挿入体の少なくとも一方に塗布された前記挿入体固定層を溶解可能な溶剤を乾燥することによって前記挿入体を前記円筒状支持体の内周面側に固定する挿入体固定工程と
を有することを特徴とする電子写真感光体の製造方法。
【請求項４】
請求項１もしくは２に記載の電子写真感光体または請求項３に記載の製造方法により製造された電子写真感光体と、帯電手段、現像手段、転写手段およびクリーニング手段からなる群より選択される少なくとも１つの手段とを一体に支持し、電子写真装置本体に着脱自在であることを特徴とするプロセスカートリッジ。
【請求項５】
請求項１もしくは２に記載の電子写真感光体または請求項３に記載の製造方法により製造された電子写真感光体と、帯電手段と、露光手段と、現像手段と、転写手段とを有することを特徴とする電子写真装置。
【発明の詳細な説明】
【技術分野】
【０００１】
本発明は、電子写真感光体、電子写真感光体の製造方法、電子写真感光体を有するプロセスカートリッジおよび電子写真装置に関する。
【背景技術】
【０００２】
電子写真装置に用いられる電子写真感光体は、一般的に、金属製（アルミニウムなど）の円筒状支持体の外周面側に感光層などの層を形成することによって作製される。
【０００３】
電子写真感光体からは、その使用条件によっては、各種振動が発生することがある。例えば、特開平０２−１１８６８４号公報（特許文献１）や特開平０３−１０５３４８号公報（特許文献２）には、電子写真感光体とクリーニングブレードとの接触によるきしみ音が発生することが記載されている。
【０００４】
これらの先行技術においては、振動の発生を防止するための方法として、どちらも何らかの振動防止部材を電子写真感光体の円筒状支持体の内周面側（内側）に挿入し、固定することが行われている。
【０００５】
ところが、振動防止部材である挿入体を円筒状支持体の内周面側に挿入し、固定すると、内周面側に挿入体が挿入された円筒状支持体の寸法精度が悪化する場合があった。つまり、電子写真感光体に用いられる円筒状支持体は、一般的に、薄肉円筒体であるため、機械的強度が低く、その内周面側に挿入体を挿入する際に膨張や収縮の過程があると変形しやすいのである。
【０００６】
また、円筒状支持体の内周面側に挿入体を固定するために接着剤を使用した場合、接着剤のはみ出しが発生したり、接着剤の種類によっては電子写真感光体の表面が汚染されたり、接着剤が硬化する際の体積変化によって円筒状支持体が変形したりすることがある。したがって、接着剤の種類、塗布条件、保管環境などを管理するのは大変煩雑である。
【特許文献１】特開平０２−１１８６８４号公報
【特許文献２】特開平０３−１０５３４８号公報
【発明の開示】
【発明が解決しようとする課題】
【０００７】
本発明の目的は、上述の問題点を解決し、使用時の振動発生を抑制する挿入体を円筒状支持体の内周面側に有し、かつ、挿入体を円筒状支持体の内周面側に挿入し、固定した際に発生する変形や汚染のない電子写真感光体、該電子写真感光体の製造方法、該電子写真感光体を有するプロセスカートリッジおよび電子写真装置を提供することにある。
【課題を解決するための手段】
【０００８】
本発明は、円筒状支持体の外周面側に中間層および感光層をこの順に有し、該円筒状支持体の内周面側に挿入体を有する電子写真感光体において、
該円筒状支持体と該挿入体との間に該挿入体を該円筒状支持体の内周面側に固定するための挿入体固定層を有し、
該挿入体固定層に用いられる材料が該中間層に用いられる材料と同一の材料であることを特徴とする電子写真感光体である。
【０００９】
また、本発明は、上記電子写真感光体の製造方法であって、
円筒状支持体の外周面側に中間層・挿入体固定層用塗布液を塗布するとともに、該円筒状支持体の内周面側にも中間層・挿入体固定層用塗布液を塗布する中間層・挿入体固定層用塗布液塗布工程と、
該中間層・挿入体固定層用塗布液塗布工程により円筒状支持体の外周面側に塗布された中間層・挿入体固定層用塗布液を乾燥するとともに、該円筒状支持体の内周面側に塗布された中間層・挿入体固定層用塗布液も乾燥することによって、中間層および挿入体固定層をともに形成する中間層・挿入体固定層形成工程と、
該中間層・挿入体固定層形成工程により形成された中間層の外周面側に感光層用塗布液を塗布する感光層用塗布液塗布工程と、
該感光層用塗布液塗布工程により中間層の外周面側に塗布された感光層用塗布液を乾燥することによって感光層を形成する感光層形成工程と、
該中間層・挿入体固定層形成工程により形成された挿入体固定層を溶解可能な溶剤を挿入体に塗布する溶剤塗布工程と、
該溶剤塗布工程により挿入体固定層を溶解可能な溶剤が塗布された挿入体を円筒状支持体の内周面側に挿入する挿入体挿入工程と、
該挿入体挿入工程により円筒状支持体の内周面側に挿入された挿入体に塗布された挿入体固定層を溶解可能な溶剤を乾燥することによって挿入体を円筒状支持体の内周面側に固定する挿入体固定工程と
を有することを特徴とする電子写真感光体の製造方法である。
【００１０】
また、本発明は、上記電子写真感光体または上記製造方法により製造された電子写真感光体を有するプロセスカートリッジおよび電子写真装置である。
【発明の効果】
【００１１】
本発明によれば、使用時の振動発生を抑制する挿入体を円筒状支持体の内周面側に有し、かつ、挿入体を円筒状支持体の内周面側に挿入し、固定した際に発生する変形や汚染のない電子写真感光体、該電子写真感光体の製造方法、該電子写真感光体を有するプロセスカートリッジおよび電子写真装置を提供することができる。
【発明を実施するための最良の形態】
【００１２】
まず、本発明の電子写真感光体の構成について説明する。
【００１３】
上述のとおり、本発明の電子写真感光体は、円筒状支持体の外周面側に中間層および感光層をこの順に有し、該円筒状支持体の内周面側に挿入体を有する電子写真感光体である。
【００１４】
感光層は、電荷輸送物質と電荷発生物質を同一の層に含有する単層型感光層であっても、電荷発生物質を含有する電荷発生層と電荷輸送物質を含有する電荷輸送層とに分離した積層型（機能分離型）感光層であってもよいが、電子写真特性の観点からは積層型感光層が好ましい。また、積層型感光層には、支持体側から電荷発生層、電荷輸送層の順に積層した順層型感光層と、支持体側から電荷輸送層、電荷発生層の順に積層した逆層型感光層があるが、電子写真特性の観点からは順層型感光層が好ましい。
【００１５】
図１〜３に、本発明の電子写真感光体の層構成の例を示す。
【００１６】
図１で示される層構成の電子写真感光体は、円筒状支持体１０１の外周面側に中間層１０３が設けられており、さらにその外周面側に感光層１０４が設けられている。一方、円筒状支持体１０１の内周面側には、挿入体１０６が挿入されており、円筒状支持体１０１と挿入体１０６との間には、挿入体１０６を円筒状支持体１０１の内周面側に固定するための挿入体固定層１０５が設けられている。
【００１７】
図２で示される層構成の電子写真感光体は、円筒状支持体１０１の外周面側に中間層１０３が設けられており、さらにその外周面側に電荷発生層１０４１、電荷輸送層１０４２が順に設けられている。一方、円筒状支持体１０１の内周面側に関しては、図１で示される層構成の電子写真感光体と同様である。
【００１８】
また、図３に示すように、円筒状支持体１０１と中間層１０３との間には、後述の導電層１０２を設けてもよい。
【００１９】
円筒状支持体（以下、単に支持体ともいう）としては、導電性を有していればよく（導電性支持体）、例えば、アルミニウム、アルミニウム合金、ステンレスなどの金属製の支持体を用いることができる。また、アルミニウム、アルミニウム合金、酸化インジウム−酸化スズ合金などを真空蒸着によって被膜形成された層を有する上記金属製支持体やプラスチック製支持体を用いることもできる。また、カーボンブラック、酸化スズ粒子、酸化チタン粒子、銀粒子などの導電性粒子を適当な結着樹脂と共にプラスチックや紙に含浸した支持体や、導電性結着樹脂を有するプラスチック製の支持体などを用いることもできる。
【００２０】
支持体と中間層との間には、レーザー光などの散乱による干渉縞の防止や、支持体の傷の被覆を目的とした導電層を設けてもよい。導電層は、カーボンブラック、金属粒子などの導電性粒子を結着樹脂に分散させて形成することができる。導電層の膜厚は、１〜４０μｍであることが好ましく、特には２〜２０μｍであることがより好ましい。
【００２１】
支持体または導電層と感光層（電荷発生層、電荷輸送層）との間には、バリア機能や接着機能を有する中間層を設けられる。中間層は、感光層の接着性改良、塗工性改良、支持体からの電荷注入性改良、感光層の電気的破壊に対する保護などのために形成される。
【００２２】
中間層は、アルキッド樹脂、ポリエチレン樹脂、アクリル樹脂、メタクリル樹脂、ポリアミド樹脂、酢酸ビニル樹脂、ポリカーボネート樹脂、ポリイミド樹脂、塩化ビニリデン樹脂、ポリビニルアセタール樹脂、塩化ビニル−酢酸ビニル共重合体、ポリビニルアルコール樹脂、ニトロセルロース、カゼイン、ゼラチン、ポリグルタミン酸、澱粉、スターチアセテート、アミノ澱粉、ポリアクリル酸、ポリアクリルアミドなどの樹脂や、シランカップリング剤や、ジルコニウム、チタニウム、アルミニウム、マンガンなどを含む有機金属化合物などの金属有機化合物を溶剤に溶解して得られる中間層用塗布液を塗布し、乾燥することによって形成することができる。これらは単独、混合または共重合体として１種または２種以上用いることができる。これら材料の中でも、ポリアミド樹脂が好ましく、ポリアミド樹脂の中でもナイロンが好ましく、ナイロンの中でもアルコール可溶性ナイロンが好ましい。また、アルコール可溶性ナイロンは、中間層全質量に対して３０質量％以上であることが好ましい。
【００２３】
中間層がその機能を発揮するためには、中間層の体積抵抗率は１０７Ω・ｃｍ以上であることが好ましい。中間層の体積抵抗率の調整などを目的として、酸化チタン、酸化亜鉛、酸化ケイ素などの金属酸化物の粒子を中間層に含有させてもよい。
【００２４】
中間層の膜厚は０．０５〜５μｍであることが好ましく、特には０．３〜１μｍであることがより好ましい。
【００２５】
一方で、本発明においては、支持体の内周面側に挿入体固定層が設けられ、また、支持体の内周面側（内側）には、振動の発生を防止することなどを目的とした挿入体が挿入される。
【００２６】
挿入体固定層は、上記中間層が形成される際にともに形成される。また、挿入体固定層に用いられる材料は、上記中間層に用いられる材料と同一である。
【００２７】
すなわち、本発明においては、上記中間層用塗布液は、挿入体固定層用の塗布液でもある。この塗布液（つまり、中間層・挿入体固定層用塗布液）を円筒状支持体の外周面側および内周面側に塗布し、次いで、円筒状支持体の外周面側および内周面側に塗布された中間層・挿入体固定層用塗布液を乾燥することで、中間層および挿入体固定層が（同時に・略同時に）形成される。
【００２８】
中間層・挿入体固定層用塗布液に用いる溶剤は、使用する材料の溶解性や分散安定性から選択されるが、メタノール、ブタノールなどのアルコールなどが挙げられる。また、これら溶剤は、支持体の内周面側に挿入体を固定する際に用いられる「挿入体固定層を溶解可能な溶剤」としても用いられる。なお、中間層・挿入体固定層用塗布液に用いる溶剤と支持体の内周面側に挿入体を固定する際に用いられる溶剤とは、同一であっても異なっていてもよい。
【００２９】
また、これら溶剤は単独または混合して１種または２種以上用いることができるし、「挿入体固定層を溶解可能な溶剤」と「挿入体固定層を溶解しない溶剤」とを併用することもできるが、２種以上の溶剤を用いる場合は、用いる溶剤全質量に対して「挿入体固定層を溶解可能な溶剤」の質量は５０質量％以上であることが好ましい。
【００３０】
また、支持体の内周面側に挿入体を固定する際に用いられる「挿入体固定層を溶解可能な溶剤」としては、中間層・挿入体固定層以外の層を溶解しない溶剤であることが好ましい。特に、支持体の内周面側に挿入体を固定する際に用いられる「挿入体固定層を溶解可能な溶剤」として、電子写真感光体の表面層となる層を溶解する溶剤を用いると、電子写真感光体の表面が汚染されてしまう場合がある。
【００３１】
振動防止部材である挿入体としては、アルミニウム、ステンレスなどの金属製のものや、樹脂製、ゴム製、紙製、粘土製、石膏製のものなどが挙げられる。
【００３２】
さて、本発明の電子写真感光体に用いられる電荷発生物質としては、例えば、モノアゾ、ジスアゾ、トリスアゾなどのアゾ顔料や、金属フタロシアニン、非金属フタロシアニンなどのフタロシアニン顔料や、インジゴ、チオインジゴなどのインジゴ顔料や、ペリレン酸無水物、ペリレン酸イミドなどのペリレン顔料や、アンスラキノン、ピレンキノンなどの多環キノン顔料や、スクワリリウム色素や、ピリリウム塩およびチアピリリウム塩や、トリフェニルメタン色素や、セレン、セレン−テルル、アモルファスシリコンなどの無機物質や、キナクリドン顔料や、アズレニウム塩顔料や、シアニン染料や、キサンテン色素や、キノンイミン色素や、スチリル色素や、硫化カドミウムや、酸化亜鉛などが挙げられる。これら電荷発生物質は１種のみ用いてもよく、２種以上用いてもよい。
【００３３】
感光層が積層型感光層である場合、電荷発生層に用いる結着樹脂としては、例えば、ポリカーボネート樹脂、ポリエステル樹脂、ポリアリレート樹脂、ブチラール樹脂、ポリスチレン樹脂、ポリビニルアセタール樹脂、ジアリルフタレート樹脂、アクリル樹脂、メタクリル樹脂、酢酸ビニル樹脂、フェノール樹脂、シリコーン樹脂、ポリスルホン樹脂、スチレン−ブタジエン共重合体樹脂、アルキッド樹脂、エポキシ樹脂、尿素樹脂、塩化ビニル−酢酸ビニル共重合体樹脂などが挙げられる。特には、ブチラール樹脂などが好ましい。これらは単独、混合または共重合体として１種または２種以上用いることができる。
【００３４】
電荷発生層は、電荷発生物質を結着樹脂および溶剤と共に分散して得られる電荷発生層用塗布液を塗布し、乾燥することによって形成することができる。分散方法としては、ホモジナイザー、超音波、ボールミル、サンドミル、ロールミル、振動ミル、アトライター、液衝突型高速分散機などを用いた方法が挙げられる。電荷発生物質と結着樹脂との割合は、１０：１〜１：２０（質量比）の範囲が好ましい。
【００３５】
電荷発生層用塗布液に用いる溶剤は、使用する結着樹脂や電荷発生物質の溶解性や分散安定性から選択されるが、有機溶剤としてはアルコール、スルホキシド、ケトン、エーテル、エステル、脂肪族ハロゲン化炭化水素、芳香族化合物などが挙げられる。
【００３６】
電荷発生層の膜厚は０．０１〜１５μｍであることが好ましく、特には０．０５〜５μｍであることがより好ましい。
【００３７】
また、電荷発生層には、種々の増感剤、酸化防止剤、紫外線吸収剤、可塑剤などを必要に応じて添加することもできる。
【００３８】
本発明の電子写真感光体に用いられる電荷輸送物質としては、例えば、トリアリールアミン化合物、ヒドラゾン化合物、スチリル化合物、スチルベン化合物、ピラゾリン化合物、オキサゾール化合物、チアゾール化合物、トリアリールメタン化合物などが挙げられる。これら電荷輸送物質は１種のみ用いてもよく、２種以上用いてもよい。
【００３９】
感光層が積層型感光層である場合、電荷輸送層に用いる結着樹脂としては、例えば、アクリル樹脂、メタクリル樹脂、ポリアクリルアミド樹脂、アクリロニトリル樹脂、ポリアミド樹脂、ポリビニルブチラール樹脂、塩化ビニル樹脂、酢酸ビニル樹脂、フェノキシ樹脂、フェノール樹脂、ポリスチレン樹脂、ポリエステル樹脂、ポリカーボネート樹脂、ポリアリレート樹脂、ポリスルホン樹脂、ポリフェニレンオキシド樹脂、エポキシ樹脂、ポリウレタン樹脂、アルキド樹脂、不飽和樹脂などが挙げられる。特には、ポリカーボネート樹脂、ポリアリレート樹脂などが好ましい。これらは単独、混合または共重合体として１種または２種以上用いることができる。
【００４０】
電荷輸送層は、電荷輸送物質と結着樹脂を溶剤に溶解して得られる電荷輸送層用塗布液を塗布し、乾燥することによって形成することができる。電荷輸送物質と結着樹脂との割合は、５：１〜１：５（質量比）の範囲が好ましく、特には３：１〜１：３（質量比）の範囲がより好ましい。
【００４１】
電荷輸送層用塗布液に用いる溶剤としては、アセトン、メチルエチルケトンなどのケトン、酢酸メチル、酢酸エチルなどのエステル、トルエン、キシレンなどの芳香族炭化水素、１，４−ジオキサン、テトラヒドロフランなどのエーテル、クロロベンゼン、クロロホルム、四塩化炭素などのハロゲン原子で置換された炭化水素などが用いられる。
【００４２】
電荷輸送層の膜厚は５〜５０μｍであることが好ましく、特には８〜３０μｍであることがより好ましい。
【００４３】
また、電荷輸送層には、酸化防止剤、紫外線吸収剤、可塑剤などを必要に応じて添加することもできる。
【００４４】
感光層が単層型感光層である場合、該単層型感光層は、上記電荷発生物質および上記電荷輸送物質を上記結着樹脂および上記溶剤と共に分散して得られる単層型感光層用塗布液を塗布し、乾燥することによって形成することができる。
【００４５】
また、感光層上には、該感光層を保護することを目的とした保護層を設けてもよい。保護層は、上述した各種結着樹脂を溶剤に溶解して得られる保護層用塗布液を塗布し、乾燥することによって形成することができる。
【００４６】
保護層の膜厚は０．５〜１０μｍであることが好ましく、特には１〜５μｍであることが好ましい。
【００４７】
上記各層の塗布液を塗布する際には、例えば、浸漬コーティング法（浸漬塗布法）、スプレーコーティング法、スピンナーコーティング法、ローラーコーティング法、マイヤーバーコーティング法、ブレードコーティング法などの塗布方法を用いることができる。
【００４８】
図４に、本発明の電子写真感光体を有するプロセスカートリッジを備えた電子写真装置の概略構成の一例を示す。
【００４９】
図４において、１は円筒状の電子写真感光体であり、軸２を中心に矢印方向に所定の周速度で回転駆動される。
【００５０】
回転駆動される電子写真感光体１の表面は、帯電手段（一次帯電手段：帯電ローラーなど）３により、正または負の所定電位に均一に帯電され、次いで、スリット露光やレーザービーム走査露光などの露光手段（不図示）から出力される露光光（画像露光光）４を受ける。こうして電子写真感光体１の表面に、目的の画像に対応した静電潜像が順次形成されていく。
【００５１】
電子写真感光体１の表面に形成された静電潜像は、現像手段５の現像剤に含まれるトナーにより現像されてトナー像となる。次いで、電子写真感光体１の表面に形成担持されているトナー像が、転写手段（転写ローラーなど）６からの転写バイアスによって、転写材供給手段（不図示）から電子写真感光体１と転写手段６との間（当接部）に電子写真感光体１の回転と同期して取り出されて給送された転写材（紙など）Ｐに順次転写されていく。
【００５２】
トナー像の転写を受けた転写材Ｐは、電子写真感光体１の表面から分離されて定着手段８へ導入されて像定着を受けることにより画像形成物（プリント、コピー）として装置外へプリントアウトされる。
【００５３】
トナー像転写後の電子写真感光体１の表面は、クリーニング手段（クリーニングブレードなど）７によって転写残りの現像剤（トナー）の除去を受けて清浄面化され、さらに前露光手段（不図示）からの前露光光（不図示）により除電処理された後、繰り返し画像形成に使用される。なお、図４に示すように、帯電手段３が帯電ローラーなどを用いた接触帯電手段である場合は、前露光は必ずしも必要ではない。
【００５４】
上述の電子写真感光体１、帯電手段３、現像手段５、転写手段６およびクリーニング手段７などの構成要素のうち、複数のものを容器に納めてプロセスカートリッジとして一体に結合して構成し、このプロセスカートリッジを複写機やレーザービームプリンターなどの電子写真装置本体に対して着脱自在に構成してもよい。図４では、電子写真感光体１と、帯電手段３、現像手段５およびクリーニング手段７とを一体に支持してカートリッジ化して、電子写真装置本体のレールなどの案内手段１０を用いて電子写真装置本体に着脱自在なプロセスカートリッジ９としている。
【００５５】
また、プロセスカートリッジ９には、電子写真装置本体から抜き出した際の電子写真感光体１に対する遮光やゴミ付着防止を目的としたカバーを設けてもよい。
【実施例】
【００５６】
以下に、具体的な実施例を挙げて本発明をさらに詳細に説明する。ただし、本発明はこれらに限定されるものではない。なお、実施例中の「部」は「質量部」を意味する。また、実施例中で用いたポリアリレート樹脂は、すべて、テレフタル酸構造とイソフタル酸構造とのモル比（テレフタル酸構造：イソフタル酸構造）が５０：５０（モル比）のものである。
【００５７】
（実施例１）
外径３０ｍｍ、内径２８．５ｍｍ、長さ２５４ｍｍのアルミニウムシリンダーを支持体（円筒状支持体）とした。
【００５８】
次に、共重合ポリアミド樹脂（商品名：アミランＣＭ−８０００、東レ（株）製）１０部、メトキシメチル化６ナイロン樹脂（商品名：トレジンＥＦ−３０Ｔ、帝国化学（株）製）３０部を、メタノール４００部／ｎ−ブタノール２００部の混合溶媒に溶解して、中間層・挿入体固定層用塗布液を調製した。
【００５９】
この中間層・挿入体固定層用塗布液を、支持体の外周面側および内周面側に浸漬塗布し、８０℃で１０分間乾燥して、中間層および挿入体固定層を形成した。中間層の膜厚は１．０μｍであり、挿入体固定層の膜厚は０．９μｍであった。
【００６０】
次に、下記式で示される構造を有するジスアゾ顔料（電荷発生物質）３．２４部、
【００６１】
【化１】
2005221558.tif 000002
【００６２】
ポリビニル−４−フルオロベンザール４部およびテトラヒドロフラン１００部を、直径１ｍｍのガラスビーズを用いたサンドミル装置で３０時間分散し、次に、２−ブタノン１００部を加えて電荷発生層用塗布液を調製した。
【００６３】
この電荷発生層用塗布液を、中間層の外周面側に浸漬塗布し、９０℃で１０分間乾燥して、電荷発生層を形成した。電荷発生層の膜厚は、電荷発生層中の上記ジスアゾ顔料の含有量が１００ｍｇ／ｍ２となるように調整した。
【００６４】
次に、四フッ化エチレン樹脂粒子（商品名：ルブロンＬ−２、ダイキン工業（株）製）２５部、ポリアリレート樹脂（重量平均分子量：１５００００）２５部およびモノクロロベンゼン７５部を直径１ｍｍのガラスビーズを用いたサンドミル装置で４時間分散して、フッ素原子含有樹脂粒子分散液を調製した。
【００６５】
次に、下記式で示される構造を有する化合物（電荷輸送物質）９部、
【００６６】
【化２】
2005221558.tif 000003
【００６７】
下記式で示される構造を有する化合物（電荷輸送物質）１部、
【００６８】
【化３】
2005221558.tif 000004
【００６９】
ポリアリレート樹脂１０部、および、上記フッ素原子含有樹脂粒子分散液１２．５部を、モノクロロベンゼン７５部／ジメトキシメタン２５部の混合溶剤に溶解して電荷輸送層用塗布液を調製した。この電荷輸送層用塗布液中の固形分全質量に対する四フッ化エチレン樹脂粒子の含有量は１０質量％である。
【００７０】
この電荷輸送層用塗布液を、電荷発生層の外周面側に浸漬塗布し、１２０℃で６０分間乾燥して、膜厚が２５μｍの電荷輸送層を形成した。
【００７１】
次に、支持体の内周面側に設けられた挿入体固定層の内周面側に、挿入体固定層を溶解可能な溶剤としてメタノールを少量塗布し、次いで、アルミニウム製の挿入体（外径２８．４５ｍｍ、長さ１００ｍｍ、重量１７０ｇ）を支持体の内周面側に挿入し、８０℃で１０分間乾燥して、挿入体を支持体の内周面側に固定した。なお、挿入体挿入時、メタノールには潤滑効果があった。
【００７２】
このようにして、図３に示される層構成の電子写真感光体を作製した。
【００７３】
作製した電子写真感光体の表面汚染を目視観察および顕微鏡観察を行い、続いて、挿入体の挿入、固定による支持体の変形を、キヤノン（株）製レーザービームプリンターＬＢＰ−Ａ４０４の改造機（図４に示す構成）を用いて、出力画像で確認した。
【００７４】
また、帯電音および電子写真感光体回転停止時のクリーニングブレードの鳴きについては、暗騒音３０ｄＢ（Ａ）の無響室に、上記レーザービームプリンターを設置し、また、このレーザービームプリンター本体の前面から１ｍの位置にリオン（株）製普通騒音計ＮＬ−２１を設置し、この普通騒音計にて音圧を測定して検討した。なお、音圧測定時、上記レーザービームプリンターは、電子写真感光体のみを自在に回転駆動することができるように改造されており、また、帯電ローラーについては、外部高圧電源により所望の電圧を印加するために内部高圧電源と外部高圧電源が切り替えられるように改造されている。
【００７５】
単に電子写真感光体を回転駆動させたときの騒音レベルＸｄＢ（Ａ）と、電子写真感光体を回転駆動させつつ、該電子写真感光体に接触する帯電ローラーに所定の交流電圧を印加したときの各々の騒音レベルＹｄＢ（Ａ）とを測定し、これらの差（Ｙ−ＸｄＢ（Ａ））を帯電音による騒音レベルの増加分として算出して比較した。
【００７６】
ここで、電子写真感光体の周速度は５０ｍｍ／ｓ、クリーニングブレードの鳴きについては、電子写真感光体のみを回転駆動した後の回転停止時の騒音レベル最大値ＺｄＢ（Ａ）を測定した。
【００７７】
また、本実施例で用いた上記改造機の帯電について説明する。
【００７８】
本実施例で用いた上記改造機の帯電手段は、帯電ローラーを有する接触帯電手段である。帯電ローラーは、ＳＵＳ製の導電性の芯金とこの芯金の外周面側に形成されたカーボン含有ウレタンゴムからなる導電性弾性層とで構成された、外径１２ｍｍのローラーである。帯電ローラーは、芯金の長手方向両端部においてバネ部材（図４では不図示）によって電子写真感光体の表面に当接されており、電子写真感光体の回転にしたがって従動回転する。
【００７９】
所定の電圧が印加された帯電ローラーによって電子写真感光体の表面は帯電される。帯電ローラーに印加する電圧としては、直流電圧に交流電圧を重畳した振動電圧（電圧値が時間と共に周期的に変化する電圧）を採用した。交流電圧は、直流電圧のみを印加した場合における電子写真感光体の表面の帯電開始電圧の２倍以上のピーク間電圧を有することが好ましく、本実施例においては、交流電圧のピーク間電圧は２０００Ｖとした。また、交流電圧の周波数は２００Ｈｚとした。また、交流電圧の波形は正弦波、矩形波、三角波、パルス波などがあるが、帯電音の低減という観点から正弦波が好ましく、本実施例においても正弦波を採用した。
【００８０】
以上の評価結果を表１に示す。
【００８１】
（実施例２）
実施例１において、メタノール（挿入体固定層を溶解可能な溶剤）をメタノール／水＝１：１（質量比）の混合溶剤に変更した以外は、実施例１と同様にして電子写真感光体を作製し、評価した。評価結果を表１に示す。
【００８２】
（比較例１）
実施例１において、挿入体の固定をシアノアクリレート系接着剤による接着に変更した以外は、実施例１と同様にして電子写真感光体を作製し、評価した。評価結果を表１に示す。
【００８３】
（比較例２）
実施例１において、挿入体固定層を溶解可能な溶剤として用いたメタノールをメタノール／水＝１：２（質量比）の混合溶剤に変更した以外は、実施例１と同様にして電子写真感光体を作製し、評価した。評価結果を表１に示す。
【００８４】
（比較例３）
実施例１において、中間層および挿入体固定層に関してまず中間層のみを形成し、挿入体固定層に関しては電荷輸送層形成後に形成し、また、挿入体固定層に用いた共重合ポリアミド樹脂１０部およびメトキシメチル化６ナイロン樹脂３０部を、ポリアミド樹脂３０部およびポリカーボネート樹脂１０部に変更した以外は、実施例１と同様にして電子写真感光体を作製し、評価した。評価結果を表１に示す。
【００８５】
（比較例４）
実施例１において、中間層および挿入体固定層に関してまず中間層のみを形成し、挿入体固定層に関しては電荷輸送層用塗布液を用いて電荷輸送層と同時に形成し（乾燥条件：１２０℃で６０分間）、また、この挿入体固定層を溶解可能な溶剤としてモノクロロベンゼンを用いた以外は、実施例１と同様にして電子写真感光体を作製し、評価した。評価結果を表１に示す。
【００８６】
（比較例５）
実施例１において、中間層および挿入体固定層に関してまず中間層のみを形成し、挿入体固定層に関しては電荷発生層用塗布液を用いて電荷発生層と同時に形成し（乾燥条件：９０℃で１０分間）、また、この挿入体固定層を溶解可能な溶剤として２−ブタノンを用いた以外は、実施例１と同様にして電子写真感光体を作製し、評価した。評価結果を表１に示す。
【００８７】
【表１】
2005221558.tif 000005
【００８８】
実施例１および２と比較例２とを対比すると、挿入体固定層を溶解しにくい溶剤を用いた場合、挿入体挿入時の潤滑効果はある程度あるものの、挿入圧が高くなり、支持体が変形してしまうことがわかる。
【００８９】
比較例１は、接着剤によって挿入体を固定した例であるが、接着剤から発生したアクリルモノマーが電子写真感光体の表面に付着して白化してしまった。また、接着剤の塗布量が少なすぎると、挿入体挿入時の潤滑効果がなく、固定強度も低く、一方、接着剤の塗布量が多すぎると、接着剤の垂れ、体積収縮による支持体の変形が生じた。
【００９０】
比較例３は、比較例２と同様に挿入体固定層を溶解しにくい溶剤を用いた例であるが、比較例２と同様に、挿入圧が高くなり、支持体が変形してしまった。
【００９１】
比較例４は、中間層と挿入体固定層とを同一組成とするかわりに、電荷輸送層と挿入体固定層とを同一組成とした例であるが、挿入体固定層を溶解可能な溶剤は電荷輸送層をも溶解可能であるため、この溶剤を乾燥した際、溶剤蒸気の影響で電荷輸送層の表面（＝電子写真感光体の表面）が汚染されてしまった。
【００９２】
比較例５は、中間層と挿入体固定層とを同一組成とするかわりに、電荷発生層と挿入体固定層とを同一組成とした例であるが、挿入体固定層を溶解可能な溶剤として用いた２−ブタノンは電荷発生層だけでなく電荷輸送層をも溶解可能であるため、この溶剤を乾燥した際、溶剤蒸気の影響で電荷輸送層の表面（＝電子写真感光体の表面）が汚染されてしまった。
【図面の簡単な説明】
【００９３】
【図１】本発明の電子写真感光体の層構成の例を示す図である。
【図２】本発明の電子写真感光体の層構成の例を示す図である。
【図３】本発明の電子写真感光体の層構成の例を示す図である。
【図４】本発明の電子写真装置の概略構成の一例を示す図である。
【符号の説明】
【００９４】
１０１  円筒状支持体
１０２  導電層
１０３  中間層
１０４  感光層
１０４１  電荷発生層
１０４２  電荷輸送層
１０５  挿入体固定層
１０６  挿入体
１  電子写真感光体
２  軸
３  帯電手段
４  露光光
５  現像手段
６  転写手段
７  クリーニング手段
８  定着手段
９  プロセスカートリッジ
１０  案内手段
【図１】
2005221558.tif 000006
【図２】
2005221558.tif 000007
【図３】
2005221558.tif 000008
【図４】
2005221558.tif 000009